(57)【特許請求の範囲】
【請求項１】
明るさセンサと、照明負荷とを備え、前記明るさセンサの検知値に基づいて前記照明負荷の光出力を制御する照明装置において、待機状態であると前記明るさセンサの検知レンジを大きくすることを特徴とする照明装置。
【請求項２】
明るさセンサと、前記明るさセンサの出力電圧を増幅する増幅器と、照明負荷とを備え、前記明るさセンサの検知値に基づいて前記照明負荷の光出力を制御する照明装置において、待機状態であると前記増幅器の増幅率を小さくすることを特徴とする照明装置。
【請求項３】
明るさセンサと、照明負荷とを備え、前記明るさセンサの検知値に基づいて前記照明負荷の光出力を制御する照明装置において、待機状態であると前記明るさセンサの光検知範囲を最大にすることを特徴とする照明装置。
【請求項４】
前記待機状態は、前記照明負荷の消灯状態であることを特徴とする請求項１乃至請求項３のいずれかに記載の照明装置。
【請求項５】
検知領域内での人体の有無を検知する人感センサを備え、前記待機状態は、検知領域内に人が居ない状態であることを特徴とする請求項１乃至請求項３のいずれかに記載の照明装置。
【請求項６】
前記待機状態は、前記明るさセンサの出力電圧に基づいては前記照明負荷を制御しない状態であることを特徴とする請求項１乃至請求項３のいずれかに記載の照明装置。
【請求項７】
明るさセンサと、照明負荷とを備え、前記明るさセンサの検知値に基づいて前記照明負荷の光出力を制御する照明装置において、前記明るさセンサの出力電圧がある期間だけ連続して最大値になると、一定時間だけ前記明るさセンサの検知感度を鈍くすることを特徴とする照明装置。
【発明の詳細な説明】
【０００１】
【発明の属する利用分野】
本発明は照明装置に関する。
【０００２】
【従来の技術】
本発明に係る従来例としては、明るさセンサにより周囲の明るさを検知し、その明るさセンサの検知値に応じて照明負荷の光出力をオンオフするものや、明るさセンサの検知値が制御目標値になるように照明負荷の光出力を制御するもの等がある。後者の照明装置の場合には、明るさセンサとしてファトダイオードなどの光検知素子で検知された光電流を増幅するものを用いることが多い。そして、増幅された光電流を明るさセンサからの明るさ信号（アナログ信号）としてマイコンなどに伝達して照明負荷の光出力を制御する。また、明るさセンサは、低照度領域での検知精度を高め、且つ高照度領域での検知をも可能にするため、光検知範囲（レンジ）の切換機能を有するものが多い。
【０００３】
前述後者の照明装置の具体的なブロック構成図を図１に示し、該照明装置に用いる明るさセンサの具体回路例を図２に示し、明るさセンサのレンジ特性の一例を図３に示す。
【０００４】
この照明装置は、電源２と、照明負荷５と、周囲の明るさを検知する明るさセンサ４と、検知領域内の人体の有無を検知する人感センサ６と、明るさセンサ４及び人感センサ６の検知出力値に基づいて照明負荷５の光出力を制御するマイコン３とから構成される。
【０００５】
この明るさセンサ４は、フォトダイオードＦＤと、２つの増幅器ＡＭＰ１、２と、抵抗Ｒ１〜Ｒ１０と、コンデンサＣ１、Ｃ２と、ダイオードＤ１と、バイポーラトランジスタＴｒ１〜Ｔｒ３ととから構成される。ここで、バイポーラトランジスタＴｒ１〜Ｔｒ３のベース端子には、抵抗Ｒ４〜Ｒ６を介してマイコン３の出力ポート１〜３が接続されている。
【０００６】
また、増幅回路の特性上、増幅回路の出力電圧（つまり、明るさ信号）は増幅器の電源電圧Ｖａｍｐ未満になってしまうが、マイコン３のＡＤ変換機能を最大限に利用するには、つまり、明るさ信号がマイコン３の電源電圧Ｖｃｃ（例えば５Ｖ）までの値を取り得るようにするには、増幅回路の電源電圧Ｖａｍｐ（例えば１０Ｖ）をマイコン３のＡＤ変換用電源Ａａｄ（≦Ｖｃｃ）以上にする必要がある。一方、マイコン３の入力端子に電源電圧Ｖｃｃ以上の信号入力を行うと、マイコン３の性能を劣化させてしまうため、Ｖｃｃ以上の電圧をクリップする保護ダイオードＤ１が設けられている。
【０００７】
以下、動作を簡単に説明する。
【０００８】
フォトダイオードＰＤが周囲の明るさを検知すると光電流がフォトダイオードＰＤの順方向に流れる。その光電流を増幅器ＡＭＰ１により電圧変換し、増幅器ＡＭＰ１の出力電圧を増幅器ＡＭＰ２で増幅する。明るさが大きいほど光電流も大きくなり、増幅器ＡＭＰ２の出力電圧も大きくなる。そして、バイポーラトランジスタＴｒ１〜Ｔｒ３のオンオフを順次切り換えることにより、増幅器ＡＭＰ２の増幅率を制御することができる、つまり、図３に示すように光検知範囲（レンジ）を切り換えることができる。ここでは、バイポーラトランジスタＴｒ１〜Ｔｒ３のコレクタ端子側に接続されたＲ７〜Ｒ９の値はＲ７＜Ｒ８＜Ｒ９とする。また、周囲の明るさが小さい場合には出力ポート１をＨｉｇｈ、出力ポート２、３をＬｏｗとして出力ポート１を選択し（レンジ１）、次に周囲の明るさが小さい場合には出力ポート２をＨｉｇｈ、出力ポート１、３をＬｏｗとして出力ポート２を選択し（レンジ２）、周囲の明るさが大きい場合には出力ポート３をＨｉｇｈ、出力ポート１、２をＬｏｗとして出力ポート１を選択し（レンジ３）する。
【０００９】
【発明が解決しようとする課題】
しかし、前記従来例には以下に示す様な問題点が生じてしまう。
【００１０】
前記従来例では、周囲が十分に明るくなると、増幅回路の出力電圧（つまり、明るさ信号）はＶｃｃを越えてしまうことがあり、Ｖｃｃを越えてしまうと、Ｖｃｃとの差分電圧がダイオードＤ１にかかってしまい、ダイオードＤ１には常時電流が流れ、この常時電流によって無駄な電力が発生してしまう。特に、消灯時などの待機状態時における照明装置全体の消費電力に占める、この無駄な電力の割合は大きくなってしまう。
【００１１】
一方、増幅回路の出力電圧（つまり、明るさ信号）はＶｃｃを越えなくても、増幅回路の出力電圧（つまり、明るさ信号）が零でない限り、マイコン３内でのロスが発生してしまう。
【００１２】
この様な問題点を解決するには、待機状態時のような電力不要な場合には、増幅回路の出力電圧を強制的にオフする手段が考えられるが、回路部品点数が増大してしまい、装置の大型化を招いてしまう。
【００１３】
本発明は前記全ての問題点に鑑みてなされたもので、その目的とするところは、明るさセンサを有し、特に待機状態における消費電力を低減することが可能で小型化可能な照明装置を提供することである。
【００１４】
【課題を解決するための手段】
前記問題点を解決するために、請求項１記載の発明によれば、明るさセンサと、照明負荷とを備え、明るさセンサの検知値に基づいて照明負荷の光出力を制御する照明装置において、待機状態であると明るさセンサの検知レンジを大きくすることを特徴とする。
【００１５】
請求項２記載の発明によれば、明るさセンサと、明るさセンサの出力電圧を増幅する増幅器と、照明負荷とを備え、明るさセンサの検知値に基づいて照明負荷の光出力を制御する照明装置において、待機状態であると増幅器の増幅率を小さくすることを特徴とする。
【００１６】
請求項３記載の発明によれば、明るさセンサと、照明負荷とを備え、明るさセンサの検知値に基づいて照明負荷の光出力を制御する照明装置において、待機状態であると明るさセンサの光検知範囲を最大にすることを特徴とする。
【００１８】
請求項４記載の発明によれば、請求項１乃至請求項３のいずれかに記載の照明装置において、待機状態は照明負荷の消灯状態であることを特徴とする。
【００１９】
請求項５記載の発明によれば、請求項１乃至請求項３のいずれかに記載の照明装置において、検知領域内での人体の有無を検知する人感センサを備え、待機状態は検知領域内に人が居ない状態であることを特徴とする。
【００２０】
請求項６記載の発明によれば、請求項１乃至請求項３のいずれかに記載の照明装置において、待機状態は明るさセンサの出力電圧に基づいては照明負荷を制御しない状態であることを特徴とする。
【００２１】
請求項７記載の発明によれば、明るさセンサと、照明負荷とを備え、明るさセンサの検知値に基づいて照明負荷の光出力を制御する照明装置において、明るさセンサの出力電圧がある期間だけ連続して最大値になると、一定時間だけ明るさセンサの検知感度を鈍くすることを特徴とする。
【００２２】
【実施の形態】
（実施の形態１）
本発明に係る第１の実施の形態のブロック構成図は図１に示したものと同様であり、また、明るさセンサの回路図は図２に示したものと同様であり、明るさセンサのレンジ特性は図３に示したものと同様であるので省略し、従来例と異なる点は動作だけであるので、同一構成には同一符号を付すことにより説明を省略する。
【００２３】
以下、動作を簡単に説明する。
１）検知領域に人が居ない場合、明るさセンサ４はレンジ１で動作するように設定されている。
２）人感センサ６が人の存在を検知すると照明負荷５を点灯させ、明るさセンサ４の検知値が制御目標値になるように照明負荷５の光出力を制御する。
３）検知領域から人が居なくなると照明負荷５は消灯する。同時に、明るさセンサ４は予め設定されたレンジ（ここではレンジ１）を無視し、最大レンジ（ここではレンジ３）に切り換える。
４）その後、再び人感センサ６が人の存在を検知すると照明負荷５を点灯させ、明るさセンサ４のレンジを元のレンジ（レンジ１）に切り換え、明るさセンサ４の検知値が制御目標値になるように照明負荷５の光出力を制御する。
【００２４】
以上の様に構成することにより、照明負荷５の消灯時のような待機状態に（明るさセンサ４の未使用状態に）明るさが上昇しても、明るさセンサ４のレンジを最大にすることで、特別な部品を設けることなく増幅器ＡＭＰ２の出力電圧（つまり、明るさセンサ４の出力信号）を抑制することができ、ダイオードＤ１に流れる電流を抑制することができ、消費電力を低減することができる。
【００２５】
（実施の形態２）
本発明に係る第２の実施の形態の明るさセンサの回路図を図４に示す。
【００２６】
図２に示した第１の実施の形態と異なる点は、フォトダイオードＰＤの入力端にバイポーラトランジスタＴｒ４を接続し、バイポーラトランジスタＴｒ４のベース端子にマイコン３の出力ポート４を接続したことであり、その他の第１の実施の形態と同一構成には同一符号を付すことにより説明を省略する。なお、ブロック構成図は図１に示したものと同様であり、明るさセンサのレンジ特性は図３に示したものと同様であるので省略する。
【００２７】
以下、動作を簡単に説明する。
１）検知領域に人が居ない場合、明るさセンサ４はレンジ１で動作するように設定されている。
２）人感センサ６が人の存在を検知すると照明負荷５を点灯させ、明るさセンサ４の検知値が制御目標値になるように照明負荷５の光出力を制御する。
３）検知領域から人が居なくなると照明負荷５は消灯する。同時に、明るさセンサ４は予め設定されたレンジ（ここではレンジ１）を無視し、最大レンジ（ここではレンジ３）に切り換える。
４）そして、ポート４をＨｉｇｈレベルにすることにより、フォトダイオードＰＤに電流が流れないように構成する。この間、ポート１〜３の状態はＨｉｇｈ或いはＬｏｗのいずれでも構わないが、全てをＬｏｗにすれば、一層の消費電力の低減が図れる。
５）その後、再び人感センサ６が人の存在を検知すると、ポート４をＬｏｗレベルにし、照明負荷５を点灯させ、明るさセンサ４のレンジを元のレンジ（レンジ１）に切り換え、明るさセンサ４の検知値が制御目標値になるように照明負荷５の光出力を制御する。
【００２８】
以上の様に構成することにより、照明負荷５の消灯時のような待機状態に（明るさセンサ４の未使用状態に）明るさが上昇しても、フォトダイオードＰＤに流れる電流を略零にし明るさセンサ４の出力電圧を略零にすることで、増幅器自体の電源を制御するよりも少ない部品で増幅器ＡＭＰ２の出力電圧（つまり、明るさセンサ４の出力信号）を抑制することができ、ダイオードＤ１に流れる電流を抑制することができ、消費電力を低減することができる。
【００２９】
（実施の形態３）
本発明に係る第３の実施の形態のブロック構成図を図５に示す。
【００３０】
図１に示した第１の実施の形態と異なる点は、人感センサの代わりに、リモコン信号送信機８と、リモコン信号送信機８からの無線信号を受信するリモコン信号受信部７とを設けたことであり、その他の第１の実施の形態と同一構成には同一符号を付すことにより説明を省略する。
【００３１】
以下、動作を簡単に説明する。
１）明るさセンサ４はレンジ１で動作するように設定されている。
２）リモコン信号送信機８からリモコン信号受信部７に一定出力で点灯する旨の信号を送信すると、明るさセンサ４の検知値が制御目標値になるように照明負荷５の光出力を制御すること（フィードバック制御）を停止し、照明負荷５を一定出力で点灯させる。同時に、明るさセンサ信号は不要となるため、明るさセンサ４は予め設定されたレンジ（ここではレンジ１）を無視し、最大レンジ（ここではレンジ３）に切り換える。
４）その後、リモコン信号送信機８からリモコン信号受信部７にフィードバック制御を行う旨の信号を送信すると、明るさセンサ４のレンジを元のレンジ（レンジ１）に切り換え、明るさセンサ４の検知値が制御目標値になるように照明負荷５の光出力を制御する。
【００３２】
以上の様に構成することにより、照明負荷５の消灯時でなくても、特別な部品を設けることなく増幅器ＡＭＰ２の出力電圧（つまり、明るさセンサ４の出力信号）を抑制することができ、ダイオードＤ１に流れる電流を抑制することができ、消費電力を低減することができる。
【００３３】
（実施の形態４）
本発明に係る第４の実施の形態を以下に示す。
【００３４】
前述第２の実施の形態と異なる点は、その動作だけであり、第２の実施の形態と同一構成には同一符号を付すことにより説明を省略する。
【００３５】
以下、動作を簡単に説明する。
１１）レンジ３に設定された照明装置において、人感センサ６が人の存在を検知すると照明負荷５を点灯させる。その際、周囲が十分に明るく且つ照明負荷５の光出力が最低レベルになっていると、明るさセンサ４の出力電圧は高い電圧（ここでは、５Ｖ以上）を維持する。
１２）１１）の場合、マイコン３のＡＤ変換による読み取り値はＭＡＸ値（８ビットであると２５５）が連続して検知される。該ＭＡＸ値が連続して検知されると、マイコン３は「ＭＡＸ値を連続して検知→無駄な電力消費が有る。」と判断し、ポート４をＨｉｇｈレベルにする。
１３）ポート４をＨｉｇｈレベルにすることによりフォトダイオードＰＤに電流が流れないようになる。この間、ポート１〜３の状態はＨｉｇｈ或いはＬｏｗのいずれでも構わないが、全てをＬｏｗにすれば一層の消費電力の低減が図れる。
ポート４がＨｉｇｈレベルの間、マイコン３のＡＤ変換による読み取り値は、照明負荷５の光出力には影響を与えず、照明負荷５の光出力は一定値を維持する。
１４）一定時間（ここでは５秒）だけポート４のＨｉｇｈレベルを維持した後、ポート４をＬｏｗレベルに移行する。
１５）マイコン３は、明るさセンサ４の出力電圧をＡＤ変換にて読み取り、前記ＭＡＸ値が継続されたままであると再びポート４をＨｉｇｈレベルに移行する。
１６）以後、１２）から１５）を繰り返す。
１７）また、１５）においてＭＡＸ値以外の値が検知されたなら、フィードバック制御を行う。
【００３６】
以上の様に、時分割的に明るさセンサ４による出力電圧を制御することにより、明るさセンサ４が使用中であっても消費電力を低減することができる。
【００３７】
なお、前記全ての実施の形態では、照明負荷５の点滅は人感センサ６の検知出力値やリモコン信号送信機８からのリモコン信号などに基づいて行っているが、他の構成であってもよく、例えば、スイッチや他の構成であっても良い。また、本実施の形態では人が居なくなると消灯するように構成しているが、人が居なくなると調光点灯する（例えば低レベルで点灯する）様に構成してもよい。また、ポートの数は前述に限らず、用途に応じて適宜決めればよく、また、全てのポートをＬｏｗに設定した場合が最低レンジになるようにしてもよい。また、増幅器の電源電圧をマイコン３の電源電圧と略同一にしてダイオードＤ１を省いた構成であっても、前述のように、照明負荷５の消灯時のような待機状態に（明るさセンサ４の未使用状態に）での増幅器ＡＭＰ２の出力電圧（つまり、明るさセンサ４の出力信号）を抑制することにより、消費電力を低減することができる。また、前記全ての実施の形態は用途に応じて適宜組み合わせれば良い。
【００３８】
【発明の効果】
請求項１乃至請求項７に記載の発明によれば、待機状態における消費電力を低減することが可能で小型化可能な照明装置を提供できる。
【図面の簡単な説明】
【図１】本発明に係る第１乃至第２の実施の形態（及び従来例）のブロック構成図を示す。
【図２】本発明に係る第１の実施の形態（及び従来例）の明るさセンサの回路図を示す。
【図３】本発明に係る明るさセンサのレンジ特性の一例を示す。
【図４】本発明に係る第２の実施の形態の明るさセンサの回路図を示す。
【図５】本発明に係る第３の実施の形態のブロック構成図を示す。
【符号の説明】
３        マイコン
４        明るさセンサ
５        照明負荷
【図１】
0003799912.tif 000002
【図２】
0003799912.tif 000003
【図３】
0003799912.tif 000004
【図４】
0003799912.tif 000005
【図５】
0003799912.tif 000006